(57)【特許請求の範囲】
【請求項１】
第一及び第二信号伝送導体手段を結合するコネクターシステム（２）用雌型コネクター（１）であって、
前記コネクターシステムが、前記コネクターシステムの固定及び解除を可能にするプッシュ−プル型の自動固定システムを備えており、前記自動固定システムの幾つかの要素が前記雌型コネクター（１）に固定されており、前記雌型コネクターが、前記第一信号導体手段の両端部を収容し、それらと前記第二信号導体手段の端部とを連結するように設けられたインサートを収容する筒状基体部（１０）を備えている雌型コネクターであって、
前記雌型コネクターに固定されている前記自動固定システムの前記要素（１２）は前記インサート（１１）上に形成され、前記インサート（１１）は、それが動かされることが出来ないように前記筒状基体部（１０）内に搭載され、
このような雌型コネクター（１）において、
前記雌型コネクターが、前記筒状基体部（１０）と、前記インサート（１１）と、ナット（１３）と、密閉ガスケット（３１７）付きのリング（３１６）と、から構成されているとともに、密閉されて構成され、
前記密閉ガスケット（３１７）付きの前記リング（３１６）が、前記筒状基体部（１０）のネジ切りされたカラー（１０１）にネジ締めされ、
前記ナット（１３）が、前記筒状基体部（１０）のネジ切り部（１０４）にネジ締めされていて、前記筒状基体部（１０）の内部に前記インサート（１１）を保持する一方で、前記筒状基体部（１０）の肩部（１０７）と前記インサート（１１）の肩部（１１３）とが、互いに当接し、前記インサート（１１）が動くのを防いでいることを特徴とする雌型コネクター。
【請求項２】
前記自動固定システムの前記要素は、前記インサートの外縁上に配置された、少なくとも二つの凸状、凹状、又は互い違いに並んだレリーフ（１２）から成ることを特徴とする、請求項１に記載の雌型コネクター。
【請求項３】
請求項１または２に記載の雌型コネクター（１）と共働し、前記コネクターシステム（２）を形成することを意図された雄型コネクター（３）であって、
前記第二信号導体手段の両端部を収容するように設けられたインサート（３２）を収容する第一筒状基体部（３１）を備えており、前記筒状基体部は、前記雌型コネクター（１）の前記インサート（１１）上に配置された前記自動固定システム（１２）の前記要素と対である、固定手段（３４）を備えた少なくとも二つの弾性タブ手段（３３）によって軸方向に延在しており、第二筒状基体部（３５）は、それが前記第一基体部（３１）上を摺動可能なように搭載され、前記タブ手段（３３）の弾性力に抗して前記固定手段（３４）を押すための手段（３６）を備えていることを特徴とする雄型コネクター。
【請求項４】
前記第一及び第二信号伝送導体手段を結合するためのコネクターシステム（２）であって、
請求項１または２に規定された雌型コネクター（１）、及び請求項３に規定された雄型コネクター（３）を備えていることを特徴とするコネクターシステム。
【発明の詳細な説明】
【技術分野】
【０００１】
本発明は、第一及び第二信号伝送導体手段を結合するコネクターシステム用雌型コネクターに関し、前記コネクターシステムは、コネクターシステムの固定及び解除を可能にするプッシュ−プル型の自動固定システムを備えており、前記自動固定システムの幾つかの要素は雌型コネクターに固定されており、前記雌型コネクターは、第一信号導体手段の両端部を収容し、それらと第二信号導体手段の端部とを連結するように設けられたインサートを収容する筒状基体部を備えている。また、本発明は前記雌型コネクターの対である雄型コネクター、及び前述の雌型及び雄型コネクターによって形成された自動固定コネクターシステムに関する。
【背景技術】
【０００２】
信号伝送導体を結合するためのプッシュ−プル型自動固定コネクターは、何年もの間既知とされている。これらのコネクターは、導体の両端部を収容するように設けられたインサートを収容するスリーブを基本的に備えている、ソケットとしてより一般的に既知とされる雌型コネクターと、プラグとしてより一般的に既知とされる雄型コネクターとを備えている。前記ソケットの筒状基体部の表面には、固定システムの一部を形成する開口部又はめくら穴が設けられている場合が多い。前記プラグは、前記ソケットのインサートに類似したインサートを収容する内部スリーブと、ソケットの筒状基体部内の開口部又はめくら穴を補填する固定形状を設けられた弾性タブを備える固定システムとを備えている。作用スリーブは、それがプラグの内部スリーブ上を移動可能なように搭載されており、タブが弾性スラストに抗して押されることを可能にするとともに、組み立て品が解除されることを可能にする手段を備えている。固定及び解除を達成するために共働する様々な手段の形状及び構成は、変化する。ソケットの筒状基体部の壁部に、開口部及びめくら穴が存在することは、壁部を弱化し、例え医療分野だけにおいてさえ、これらの自動固定コネクターが使用される様々な分野で要求される密閉性を損なう。
【発明の概要】
【発明が解決しようとする課題】
【０００３】
本発明は、この問題に対する解決策を提供する、即ち、雌型コネクター又はプッシュ−プル型コネクターのソケットを提案し、特にソケットのサイズが小さく壁部の厚さが薄いときに、その外部筒状基体部は完全に密閉され、固定手段の存在によって弱化されない。
【０００４】
また、本発明は対応する雄型コネクター又はプラグ、これら二つの雄型及び雌型コネクターの共働によって得られる自動固定コネクターを提案する。
【課題を解決するための手段】
【０００５】
第一及び第二信号伝送導体手段を結合するコネクターシステム用の本発明による雌型コネクター又はソケットにおいて、前記コネクターシステムは、コネクターシステムの固定及び解除を可能にするプッシュ−プル型の自動固定システムを備えており、前記自動固定システムの幾つかの要素は雌型コネクターに固定されており、前記雌型コネクターは、第一信号導体手段の両端部を収容し、それらと第二信号導体手段の端部とを連結するように設けられたインサートを収容する筒状基体部を備えている、雌型コネクター又はソケットにおいて、前記雌型コネクターに固定されている前記自動固定システムの前記要素は前記インサート上に形成され、前記筒状基体部は密閉され、前記インサートは、それが動かされることが出来ないように前記筒状基体部内に搭載されることを特徴とする、雌型コネクター又はソケットを提供する。
【０００６】
ソケットに固定される自動固定システムの要素が、インサート上に形成されるということは、ソケットの筒状基体部が弱化されておらず、何よりもこのソケットが密閉され得ることを意味している。
【０００７】
代替の形態において、自動固定システムの前記要素は、前記インサートの外縁上に配置された、少なくとも二つの凸状、凹状、又は互い違いに並んだレリーフから成る。
【０００８】
特に、インサートの側壁上で、少なくとも二つの凸状レリーフ（突出部）、凹状レリーフ（陥凹部）、又は互い違いに並んだレリーフを使用することは、固定が、ソケットの筒状基体部を弱化させることのない、それによって良好な密閉性を得ることができる、相補的な手段を有するプラグで達成され得ることを意味している。レリーフは、プラグの相補的な要素との係合を容易にし、不要な解除を防ぐ形状を有する。
【０００９】
例えば、もし筒状基体部及びインサートが絶縁性材料から形成される場合、インサートは、その全体的な実体が射出成型によって得られるというように、ソケットの筒状基体部を有する一体型として形成されても良い。
【００１０】
また本発明は、雌型コネクター、又はソケットと共働し、コネクターシステムを形成することを意図された雄型コネクター又はプラグに関し、該雄型コネクター又はプラグは、第二信号導体手段の両端部を収容するように設けられるインサートを収容する第一筒状基体部を備えており、前記筒状基体部では、前記雌型コネクターの前記インサート上に配置された自動固定システムの前記要素と対である、固定手段を備えた少なくとも二つの弾性タブ手段が軸方向に延在しており、第二筒状基体部は、それが前記第一基体部上を摺動可能なように搭載され、前記タブ手段の弾性力に抗して前記固定手段を押すための手段を設けられた、ことを特徴とする雄型コネクター又はプラグを提供する。
【００１１】
最後にまた、本発明は、前記第一及び第二信号伝送導体手段を結合するためのコネクターシステムに関し、前記コネクターシステムは、請求項１〜３の内いずれか一項に規定されたような雌型コネクター、及び請求項４に規定されたような雄型コネクターを備えている。
【００１２】
本発明は、添付図面を用いてより詳細に説明される。
【図面の簡単な説明】
【００１３】
【図１】二つの軸平面に沿った切り取り断面図による、コネクターシステムの斜視図である。
【図２】ソケットの筒状基体部の斜視図である。
【図３】プラグの第一筒状基体部の斜視図である。
【図４】プラグの第二筒状基体部の斜視図である。
【発明を実施するための形態】
【００１４】
図１において、第一及び第二導体手段を結合するコネクターシステム２が、二つの軸平面に沿った切り取り断面による斜視図で示されている。コネクターシステム２は、ソケット（雌型コネクター）１及びプラグ（雄型コネクター）３を備えている。
【００１５】
ソケット１は筒状基体部１０（図２も参照）を備え、この筒状基体部１０は肩部１０２において終端しているネジ切りされたカラー１０１、主要部１０３、及びネジ切り部１０４を備えている。ネジ切りされたカラー１０１上に四個のノッチ１０５が設けられ、筒状基体部１０の内部には、三本の長手方向刻み目１０６が設けられている。インサート１１は、筒状基体部１０の内部に収容されている。インサート１１は、第一導体手段の端部を収容することを意図されている。インサートは、理論上は絶縁性材料から形成されて、導体スリーブが収容される管路を軸方向に貫通しており、スリーブは導体手段の端部に連結されている。基体部１０のネジ切り部１０４にネジ締めされたナット１３は、筒状基体部１０の内部にインサート１１を保持する一方で、筒状基体部１０の二つの肩部１０７及びインサート１１の１１３は、互いに当接し、インサート１１が動くのを防いでいる。インサート１１は二つのレリーフ又は膨らみ部１２（一方だけが図１に示されている）を有する。レリーフ１２は、プラグ３に向いて面している部分に傾斜部１２１を有している。
【００１６】
プラグ３は、ネジ切り部３１１及び二つの環状リブ（部分）３１４を設けられた第一筒状基体部３１（図３も参照）を備えている。筒状基体部３１は、二つの弾性タブ３３によって軸方向に延在している。これら二つのタブはそれぞれ孔３４を設けられ、それらの自由端部は傾斜部３１２を有している。
【００１７】
プラグ３は、第一筒状基体部３１を含む第二筒状基体部３５（図４も参照）を備えている。筒状基体部３５は、より小さな直径の円筒状支持表面３５２及び第三円筒部３５３に続く、より大きな直径の第一部分３５１を備えている。第三円筒部３５３の端部は、ソケット１のインサート１１の対応部としての形状を有し、短い長さにわたって延在する形状を有している。この延在部分は、筒状基体部３１の弾性タブ３３の形状及び幅に対応する二つの軸方向陥凹部３６１に続いている。これら二つの陥凹部３６１の端部は、基体部３１の傾斜部３１２と対である傾斜部３６を有している。第一筒状基体部３１の二つの環状リブ３１４は、第二筒状基体部３５の内部に配置された、二つの対応する環状陥凹部３１５に入り込み、第一及び第二筒状基体部３１及び３５の相対的な軸方向の動きを互いに制限する。円筒状部分３５３は、ソケット１の筒状基体部１０内の刻み目１０６と共働することを意図された三本の軸方向リブ３５４を、その側面上にその長さ全体に亘って備えている。
【００１８】
リング３１６は、ソケット１の筒状基体部１０のネジ切りされたカラー１０１にネジ締めされている。リングは、密閉ガスケット３１７と合致されている。前記ガスケットは、ソケット１の筒状基体部１０のノッチ１０５と共働する四本のリブ（図示せず）を有し、該リブは一方で、ソケット１とプラグ３（差し込む側）との間の密閉性を提供し、またリブが合致されるパネル部においてソケット１を密閉する。
【００１９】
インサート３２は、筒状基体部３１内に収容されている。インサート３２は、圧締器３７が支持している肩部３２１を介して、筒状基体部３１の内側肩部３１９に対して押し付けられた状態に保持されており、この圧締動作は、第一筒状基体部３１のネジ切り部３１１にネジ締めされた圧締ナット３８によって軸方向に提供される。
【００２０】
コネクターシステム２の自動固定は、軸方向リブ３５４が割り出しされ、刻み目１０６内を摺動するように、プラグをソケット内に押し込むことによって達成される。弾性タブ３３の端部における傾斜部３１２が、それらが分けるレリーフ１２の傾斜部１２１に対して押し付け始めると、レリーフ１２が孔３４に入り込むまで弾性変形する。この位置において、組み立て品は固定され、ケーブル、圧締ナット３８、又はナット１３を介する、その二つの端部上での任意の引っ張りはそれを解除しない。
【００２１】
コネクターシステム２を解除するためには、片方の手でリング３１６を保持する一方で、プラグの筒状基体部３５を軸方向に引っ張ることが必要である。この引張りの効果の下で、基体部３５が移動し、傾斜部３６及び３１２間での共働が弾性タブ３３を半径方向に動かし、従って組立て品を解除するように働く。基体部３５の軸方向の動きは、二つの環状陥凹部３１５の高さによって制限されている。プラグ及びソケットがもはや差し込まれ合っていないとき、基体部３５は、弾性タブのスラストと、傾斜部３１２及び３６間での共働との下で停止位置に戻る。
【００２２】
レリーフ１２及び弾性タブ３３の総数が、ソケット及びプラグの寸法によって変わり得ることは明白である。同様に、レリーフ１２は、図１及び３に示されるように凸状であってもよいし、又は凹状であってもよく、この場合、タブ３３内の孔３４は対応する凸状レリーフによって置き換えられる。対応するタブに注意して同様に行うことで、インサート１１上で凸状及び凹状レリーフを互い違いにする事もまた可能である。
【００２３】
最後に、インサート１１は、特に絶縁性材料から形成される場合には、ソケット１の筒状基体部１０と一体として形成する事ができる。
【００２４】
一例として上述された様々な要素を部分修正し、同時に本発明の意図された目的を満たす、すなわち、固定を実施するために、ソケットの筒状基体部というよりもむしろインサートを有するようにすることは可能である。
【符号の説明】
【００２５】
１  ソケット（雌型コネクター）
１０、１１３  筒状基体部
１０１  ネジ切りされたカラー
１０２、１０７  肩部
１０３  主要部
１０４、３１１  ネジ切り部
１０５  ノッチ
１０６  刻み目
１１、３２  インサート
１２  レリーフ
１３  ナット
２  コネクターシステム
３  プラグ（雄型コネクター）
３１  第一筒状基体部
３１２、３６  傾斜部
３１４  環状リブ（断片）
３１５  環状陥凹部
３１６  リング
３１７  密閉ガスケット
３１９  内側肩部
３３  弾性タブ
３４  孔
３５  第二筒状基体部
３５２  円筒状支持表面
３５３  第三円筒部
３５４  リブ
３６１  陥凹部
３７  圧締器
３８  圧締ナット
【図１】
0005572335.tif 000002
【図２】
0005572335.tif 000003
【図３】
0005572335.tif 000004
【図４】
0005572335.tif 000005